(57)【要約】【課題】本体内にアルミニウム製鍋を連続加熱できる加熱コイルを備えるものにおいて、大型化する複数の出力制御部を確実に本体内に収納し、性能を向上させる誘導加熱調理器を提供する。【解決方法】本体１の上面にトッププレート３を配置し、このトッププレート３下部の右側と左側に加熱コイルＡ４と加熱コイルＢ７を設け、この加熱コイルＡ４と加熱コイルＢ７等を駆動する複数の出力制御部６ａ、６ｂ、６ｃを基板収納ケース５に収納して本体１内に設置してなる誘導加熱調理器において、前記加熱コイルＡ４をアルミニウム製鍋を連続加熱できるものとし、該加熱コイルＡ４を前記複数の出力制御部６ａ、６ｂ、６ｃのうち、該加熱コイルＡ４と最も近接していない出力制御部６ｂ、６ｃと電気的に接続した。【選択図】  図２
2005011676.tif 000002
【特許請求の範囲】
【請求項１】
本体（１）の上面にトッププレート（３）を配置し、このトッププレート（３）下部の右側と左側に加熱コイルＡ（４）と加熱コイルＢ（７）を設け、この加熱コイルＡ（４）と加熱コイルＢ（７）等を駆動する複数の出力制御部（６）を基板収納ケース（５）に収納して本体（１）内に設置してなる誘導加熱調理器において、前記加熱コイルＡ（４）、加熱コイルＢ（７）のうち、何れか一方をアルミニウム製鍋を連続加熱できるものとし、該加熱コイルを前記複数の出力制御部（６）のうち、該加熱コイルと最も近接していない出力制御部（６）と電気的に接続したことを特徴とする誘導加熱調理器。
【発明の詳細な説明】
【０００１】
【発明の属する技術分野】
本発明は、加熱コイルに高周波電流を流して金属製の鍋を加熱する誘導加熱調理器に関するものである。
【０００２】
【従来の技術】
誘導加熱調理器は、高周波電流を加熱用コイルに流してその加熱用コイルの上面に配置した金属性の鍋に渦電流を発生させ、そのジュール熱によって鍋自体が自己発熱することで、鍋を効率よく加熱するものである。
【０００３】
当初の誘導加熱調理器は、鉄などの磁性金属の鍋のみが加熱できるだけであったが、近年の誘導加熱調理器は非磁性金属であるステンレス製鍋なども加熱できるようになってきている。さらに、加熱できないとされてきたアルミニウム製鍋を加熱できるようなものも提案されてきている。
【０００４】
特許文献１（特開２００３−１７２３２号公報）に示すものは、本体外面に吸気部と排気部とを設け、本体内にはトッププレートの下部に位置した複数の加熱コイルと、前記吸気部と通気路で繋がった冷却ファンと、前記加熱コイルをそれぞれ駆動する複数の回路ユニット（出力制御部）とを備え、前記複数の回路ユニットを本体内の片側に集めて配し、複数の加熱コイルのうち１個はアルミニウム製鍋を連続加熱できる加熱コイルとし、この加熱コイルと複数の回路ニットのうち最も近接する回路ユニットとを電気的に接続した構成よりなるものであり、これによってアルミニウム製鍋を連続加熱できる加熱コイルの動作の安定性、発熱ロスの低減を図るようにしたものである。
【０００５】
【特許文献１】
特開２００３−１７２３２号公報
【０００６】
【発明が解決しようとする課題】
近年の誘導加熱調理器は、上記したようにアルミニウム製鍋を連続加熱できる等、その製品性能が大幅に向上してきており、これに伴って出力制御部の個々の構成部品は小さくなっているものの、その部品点数は増加し、さらに構成が複雑となり、大型化してきている。
【０００７】
このため、上記した特許文献１においてはアルミニウム製鍋を連続加熱できる加熱コイルと、これに最も近接する回路ユニットとを電気的に接続して組み立てるようにしていたが、これでは回路ニットの構成に制約ができてしまい、その他の部品の組み立て裕度がなくなり、回路ニットがさらに大型化してその部品の構成及び配置が複雑になるという問題があった。
【０００８】
【課題を解決するための手段】
本発明は上述の課題を解決するためになされたものであり、具体的には、本体の上面にトッププレートを配置し、このトッププレート下部の右側と左側に加熱コイルＡと加熱コイルＢを設け、この加熱コイルＡと加熱コイルＢ等を駆動する複数の出力制御部を基板収納ケースに収納して本体内に設置してなる誘導加熱調理器において、前記加熱コイルＡ、加熱コイルＢのうち、何れか一方をアルミニウム製鍋を連続加熱できるものとし、該加熱コイルを前記複数の出力制御部のうち、該加熱コイルと最も近接していない出力制御部と電気的に接続したものである。
【０００９】
上記の構成によって、出力制御部の構成に制約を受けることがなくなり、この出力制御部が大型化してその部品構成が複雑になっても、アルミニウム製鍋を連続加熱できる加熱コイルとの接続が容易にでき、本体の制約寸法内で基板収納ケース内に複数の出力制御部を収納することができ、大型化した出力制御部を確実に製品本体内に収納して製品の性能を向上させることができるものである。
【００１０】
【発明の実施の形態】
以下、本発明の一実施例を図１から図３に従って説明する。
【００１１】
図１は、本発明の誘導加熱調理器の一部を分解した斜視図、図２は、同横断面図、図３は同システムキッチンに組み込んだ状態の外観斜視図を示すものである。
【００１２】
まず、図１において、１は誘導加熱調理器の本体、２はその外郭を形成するボトムケースで、上面が開口している。
【００１３】
３はトッププレートで、耐熱性が高い結晶化ガラスで構成されており、ボトムケース２の上面開口部を塞ぐように配置されている。
【００１４】
３ａはトッププレートカバー枠で、トッププレート３の周りに取り付けられており、トッププレート３との間にシール材（図示せず）を充填して水密構造としている。
【００１５】
また、このトッププレートカバー枠３ａは本体１にも固定されており、図３に示すように本体１をシステムキッチン１３に取り付ける際には、このトッププレートカバー枠３ａで本体１を吊り上げた状態で設置される。
【００１６】
４は非磁性金属であるアルミニウム製鍋を連続加熱できる加熱コイルＡ、７は鉄や磁性ステンレス等の磁性金属の鍋を加熱する加熱コイルＢで、トッププレート３の下側に位置するように本体１内の右側と左側に設置されている。
【００１７】
８は円形のニクロム線ヒータで、トッププレート３のほぼ中央後部の下側に位置するように本体１内の上部に配置されている。
【００１８】
９は操作部で、本体１の前面右側に配置されており、後記する出力制御部６と連動しており、メインスイッチ及び加熱コイルＡ４、加熱コイルＢ７、ニクロム線ヒータ８、本体１の左側面に配備された後記ロースター加熱部１０への通電入り切り、設定、火力調節を行うスイッチやツマミ類で構成されている。
【００１９】
１０はロースター加熱部で、加熱コイルＢ７の下側に位置しており、本体１の前面右側から本体１内に魚等を出し入れする。
【００２０】
１２は冷却風洞で、加熱コイルＡ４の下側に設置されており、その上面に多数の送風口１２ａを備えており、後記する冷却ファン１１からの冷却風を加熱コイルＡ４とＢ７へ吹き付けるものである。
【００２１】
１５は加熱コイルＡ４の右表示部、１６は加熱コイルＢ７の左表示部、１７はニクロム線ヒータ８の中央表示部であり、夫々加熱コイルＡ４、加熱コイルＢ７及びニクロム線ヒータ８と対向するようにトッププレート３の前部に設けられており、夫々の運転状態又は運転するための設定状態（火力、タイマーの設定状態、揚げ物調理時の油温等）を数値、文字、図形等により表示するものである。
【００２２】
１８、１９は本体１の後部上面の右側と左側に開口した吸気口及び排気口である。
【００２３】
図２において、５は基板収納ケースで、本体１内において加熱コイルＡ４の下側に設置されており、吸気口１８に近い側の空間内に冷却ファン１１、加熱コイルＡ４の下側に位置した空間内に複数の出力制御部６ａ、６ｂ、６ｃよりなる出力制御部６が上下方向に沿って設置されている。
【００２４】
また、前記冷却ファン１１はモータ１１ａの上下に同軸の駆動軸を突出させてその上下に回転ファン１１ｂ、１１ｃを連結し、一方の回転ファン１１ｂによって吸気口１８から吸い込んだ冷却空気を図１に示す冷却風洞１２を通してその送風口１２ａから加熱コイルＡ４及び加熱コイルＢ７の下面に流入させ、該加熱コイルＡ４及び加熱コイルＢ７を冷却するとともに、他方の回転ファン１１ｃによって吸い込んだ冷却空気を複数の出力制御部６ａ、６ｂ、６ｃに流入させ、該出力制御部６ａ、６ｂ、６ｃを冷却するようにしている。
【００２５】
１４はリード線等の接続部材で、出力制御部６ａ、６ｂ、６ｃのうち、最も近接していない下段及び中段の出力制御部６ｂ、６ｃと非金属のアルミニウム製鍋を連続加熱できる右加熱コイルＡ４を電気的に接続している。
【００２６】
上記本発明によれば、出力制御部６ａ、６ｂ、６ｃのうち、最も近接していない下段及び中段の出力制御部６ｂ、６ｃと非磁性金属のアルミニウム製鍋を連続加熱できる右加熱コイルＡ４を電気的に接続したことにより、従来のように、最初に出力制御部６ａの構成と配置を決めた後に出力制御部６ｂ、６ｃの構成や配置を決めるものに比べて出力制御部６ａ、６ｂ、６ｃの構成に制約を受けることがなくなり、その他の部品の組み立てに裕度ができ、それらの部品の配置が容易になるものである。
【００２７】
また、この出力制御部６ａ、６ｂ、６ｃが大型化してその部品構成が複雑になっても、アルミニウム製鍋を連続加熱できる加熱コイルＡ４との接続が接続部材１４を介して容易にでき、本体１の制約寸法内で基板収納ケース５内に複数の出力制御部６ａ、６ｂ、６ｃを確実に収納することができるものである。
【００２８】
なお、この実施例では、加熱コイルＡ４をアルミニウム製鍋を加熱できるものとしているが、加熱コイルＢ７をアルミニウム製鍋を加熱できるものとし、加熱コイルＡ４を鉄やステンレス等の磁性金属の鍋を加熱できるようにしても良い。この場合であっても加熱コイルＢ７と複数の出力制御部６ａ、６ｂ、６ｃのうち、最も近接している下段及び中段の出力制御部６ｂ、６ｃをリード線等の接続部材１４で電気的に接続するものである。
【００２９】
上記誘導加熱調理器の加熱動作については、すでに公知であり、その説明を省略する。
【００３０】
【発明の効果】
以上説明したように、本発明によれば、本体の上面にトッププレートを配置し、このトッププレート下部の右側と左側に加熱コイルＡと加熱コイルＢを設け、この加熱コイルＡと加熱コイルＢ等を駆動する複数の出力制御部を基板収納ケースに収納して本体内に設置してなる誘導加熱調理器において、前記加熱コイルＡ、加熱コイルＢのうち、何れか一方をアルミニウム製鍋を連続加熱できるものとし、該加熱コイルを前記複数の出力制御部のうち、該加熱コイルと最も近接していない出力制御部と電気的に接続したので、出力制御部の構成に制約を受けることがなくなり、この出力制御部が大型化してその部品構成が複雑になっても、アルミニウム製鍋を連続加熱できる加熱コイルとの接続が容易にでき、本体の制約寸法内で基板収納ケース内に複数の出力制御部を収納することができ、大型化した出力制御部を確実に本体内に収納し、製品の性能を向上させることができるものである。
【図面の簡単な説明】
【図１】本発明の誘導加熱調理器の一部を分解した斜視図である。
【図２】本発明の誘導加熱調理器の横断面図である。
【図３】本発明の誘導加熱調理器をシステムキッチンに組み込んだ状態の外観斜視図である。
【符号の説明】
１・・・本体
３・・・トッププレート
４・・・加熱コイルＡ
５・・・基板収納ケース
６・・・出力制御部
７・・・加熱コイルＢ
１１・・・冷却ファン
１４・・・接続部材
【図１】
2005011676.tif 000003
【図２】
2005011676.tif 000004
【図３】
2005011676.tif 000005